(57)【特許請求の範囲】
【請求項１】
苗におけるポット状の根部を抱持する苗受溝を有し、該苗受溝に抱持した苗の姿勢を変更させるために使用される移植機の苗受台であって、
前記苗受溝は、前記根部の外周面を受ける内周面を形成する溝本体と、該溝本体の溝長方向に延びる溝開口側の両縁にそれぞれ着脱可能に配設された一対の溝縁部とを備え、
前記一対の溝縁部は、前記根部の周面が中心角で約６０〜１４０度開放されるように配設されており、
前記溝縁部は、前記根部の外周面に食い込むように突設された、前記溝長方向へ延びる突条を有する移植機の苗受台。
【請求項２】
前記突条又は前記溝縁部は、前記溝本体の主材料の材質よりも耐摩耗性に優れた材質の材料からなる請求項１記載の移植機の苗受台。
【発明の詳細な説明】
【技術分野】
【０００１】
本発明は、苗におけるポット状の根部の外周面を抱持する苗受溝を有し、該苗受溝に抱持した苗の姿勢を変更させるために使用される移植機の苗受台に関するものである。
【背景技術】
【０００２】
従来の移植機の苗受台として、特許文献１記載の田植機におけるポット苗支持装置に装備された苗受けを例示する。このポット苗支持装置では、田植機の苗載台にセットした苗枠から押出されたポット苗を、苗受台に設けられた苗受けの苗受溝で受け取ってから、苗植付装置に移送するようになっている。この移送時に、苗受けは１８０度回転されるが、苗受溝に押し込まれたポット苗の根部の脱落防止のために、苗受溝は根部よりも若干小さく形成されている。この脱落防止をさらに確実にすべく、図６に示すように苗受溝８１の溝長方向へ延びる一対の突条８２が苗受溝８１の内周面に形成されている苗受け８０がある。苗受溝８１における溝長方向に延びる両溝縁は、根部Ｐａの周面が中心角Ａで約９０度開放されるように配設されている。この一対の突条８２でポット苗の根部Ｐａを効果的に係止できるようにするために、この一対の突条８２は苗受溝８１に抱持される根部Ｐａの中心軸に対して略対称位置に食い込むように設けられている。そして、ポット苗の根部Ｐａが苗受溝８１に押し込まれると、この突条８２がクサビ状に根部Ｐａに食い込んで係止するようになっている。この種の苗受け８０は、軽量化のため（軽量であれば、苗受け８０を移動させる動力が小さくて済むし、ポット苗をデリケートに扱うことが可能。）及びコスト低減化のために、苗受溝８１及び突条８２を含む略全体が樹脂で形成されている（即ち、苗受け８０の主材料が樹脂）。
【０００３】
【特許文献１】特開昭５４−１２３４３０号公報
【発明の開示】
【発明が解決しようとする課題】
【０００４】
ところが、根部Ｐａよりも若干小さく形成されている苗受溝８１には、次々と苗の根部Ｐａが強く押し込まれたり、強く押し出されたりするので、特に突条８２が摩耗し易く、樹脂で一体形成された苗受け８０を定期的に交換しなければならないという課題がある。
【課題を解決するための手段】
【０００５】
上記課題を解決するために、本発明の移植機の苗受台は、
苗におけるポット状の根部を抱持する苗受溝を有し、該苗受溝に抱持した苗の姿勢を変更させるために使用される移植機の苗受台であって、
前記苗受溝は、前記根部の外周面を受ける内周面を形成する溝本体と、該溝本体の溝長方向に延びる溝開口側の両縁にそれぞれ着脱可能に配設された一対の溝縁部とを備え、
前記一対の溝縁部は、前記根部の周面が中心角で約６０〜１４０度開放されるように配設されており、
前記溝縁部は、前記根部の外周面に食い込むように突設された、前記溝長方向へ延びる突条を有している。
【０００６】
この構成によれば、前記突条が摩耗した場合は前記溝縁部を交換することができ、苗受台のメンテナンスのコストを低減することができる。
【０００７】
前記移植機の苗受台においては、
前記突条又は前記溝縁部は、前記溝本体の主材料の材質よりも耐摩耗性に優れた材質の材料からなる態様を例示する。
【０００８】
前記突条又は前記溝縁部の材料としては、特に限定されないが、前記溝本体の主材料が樹脂である場合に、金属又はセラミックとすることを例示する。
【０００９】
この構成によれば、前記突条又は前記溝縁部が摩耗し難く、苗受台のメンテナンスの手間を低減することができる。また、前記突条又は前記溝縁部のみを耐摩耗性に優れた材料（一般に高価で比重が大きい）を使用するので、苗受台全体を耐摩耗性に優れた材料で構成するよりも低コストかつ軽量に構成することができる。
【発明の効果】
【００１０】
本発明の移植機の苗受台によれば、そのメンテナンスにかかるコストを低減することができるという優れた効果を奏する。
【発明を実施するための最良の形態】
【００１１】
図１〜図５は本発明を具体化した一実施形態の苗受台１２を備えた移植機を示している。本例の移植機は、図１及び図２に示すように、左右の走行車輪（図示略）に走行自在に支持された機体１と、該機体１の上部に設けられ、ポット苗箱１０の載置自在な苗載台３と、ポット苗箱１０から野菜・花等の苗Ｐ（本例ではポット苗）を横一列ずつ取り出す、苗受台１２を備えた苗取出装置４と、取り出された苗Ｐを一本ずつ搬送する苗搬送装置５と、圃場に植付溝を形成する溝掘器８と、苗搬送装置５により搬送されてきた苗Ｐを受け取って溝掘器８の後方で前記植付溝に植え付ける植付装置６と、該植付装置６の後方で前記植付溝を埋め戻すための左右一対の土寄輪７とを備えている。ポット苗箱１０は、多数のポット苗室１０ａが連設された可撓性のものとなっている。なお、各図において、矢印Ｆは機体前側を指し示している。
【００１２】
苗取出装置４においては、図１に示すように、ポット苗箱１０が苗載台３内を湾曲して一列分ずつ間欠送りされ、所定位置で苗載台３の後方に設けられた押出杆１１がポット苗箱１０の横一列のポット苗室１０ａに底面から突入し、苗Ｐを前方に押し出すとともにその根部Ｐａを前方に設けられた苗受台１２の苗受溝１３内に押し込む。ここで、図３及び図４に示すように、苗受溝１３内には、この押し込み方向に延びる突条１４が設けられているので、この突条１４が苗Ｐの根部Ｐａの外周面に食い込み、苗受溝１３内に苗Ｐを保持するようになっている。続いて、苗Ｐを受け取った苗受台１２は、苗Ｐを逆方向に反転させながら下方に回動し、このとき苗受溝１３が苗Ｐの根部Ｐａを先にして跳ね出し部材１８の位置を通過する。これにより苗Ｐは苗受溝１３から押し出され、下方の苗搬送装置５の搬送ベルト２０上に落下するようになっている。
【００１３】
苗受台１２には、ポット苗箱１０の横一列の各ポット苗室１０ａに対応するように苗受溝１３が列設されている。苗受溝１３は、苗Ｐの根部Ｐａの外周面を受ける内周面を形成する溝本体１６と、該溝本体１６の溝長方向に延びる溝開口側の両縁にそれぞれネジ１７で着脱可能に配設された一対の溝縁部１５とを備えている。本例の苗受溝１３は、溝本体１６が樹脂を主材料として構成されており、溝縁部１５が、該樹脂よりも耐摩耗性に優れた材質を有する金属（例えばステンレス）からなっている。
【００１４】
この苗受溝１３は、ポット状に形成された根部Ｐａの外周面を抱持するように形成されており、該苗受溝１３における溝長方向に延びる両溝縁は、特に限定されないが、根部Ｐａの周面が中心角Ａで約６０〜１４０度開放されるように配設されていることが好ましい。この中心角Ａの好ましい上限を約１４０度としたのは、約１４０度を超えると、苗受溝１３で根部Ｐａをしっかりと抱持することが困難になるからである。また、この中心角Ａの好ましい下限を約６０度としたのは、約６０度未満だと、両突条１４が根部Ｐａの外周面における一部位に偏りすぎて、根部Ｐａの係止効果が低下するからである。
【００１５】
溝縁部１５は、根部Ｐａの外周面に食い込むように突設された、前記溝長方向へ延びる突条１４を有している。本例の突条１４は、板状に形成された溝縁部１５における縁部が利用されている。本例の溝縁部１５は、隣接する苗受溝１３における隣接する溝縁が一体化されてなっており、図４に示すように、苗Ｐの根部Ｐａが押し込まれてくる側になるほど幅狭となった形状（本例では平面視した船体の形状）に形成されている。この形状によれば、苗Ｐの根部Ｐａが苗受溝１３に押し込まれるにつれて、突条１４が根部Ｐａの外周面に徐々に深く食い込むようになっており、根部Ｐａに無理な力が加わることを防止することができる。
【００１６】
なお、本例では、図３及び図４に示すように、苗受台１２における苗受溝列設方向の両端部及び中央部の苗受溝１３ａについては、一方の溝縁には金属製の溝縁部１５が配設されているが、他方の溝縁には樹脂製の突条１９ａを含む樹脂製の溝縁部１９が溝本体１６に一体形成されている。この樹脂製の突条１９ａの摩耗による根部Ｐａの係止効果の低減を防止するために、例えば、図５に示すように、両方の溝縁に金属製の溝縁部１５が配設されている苗受溝１３の突条１４よりも、苗受溝１３ａにおける一方の溝縁の溝縁部１５の突条１４を相対的に苗受溝１３内へ大きく突出させる（根部Ｐａにより深く食い込ませるようにする）とともに、他方の樹脂製の溝縁部１９に突条を設けないようにすることもできる。
【００１７】
以上のように構成された本例の移植機の苗受台１２によれば、苗Ｐにおけるポット状の根部Ｐａを抱持する苗受溝１３を有し、該苗受溝１３に抱持した苗Ｐの姿勢を変更させるために使用されるものであり、前記苗受溝１３は、前記根部Ｐａの外周面を受ける内周面を形成する溝本体１６と、該溝本体１６の溝長方向に延びる溝開口側の両縁にそれぞれ着脱可能に配設された一対の溝縁部１５とを備え、溝縁部１５は、根部Ｐａの外周面に食い込むように突設された、前記溝長方向へ延びる突条１４を有している。この構成によれば、突条１４が摩耗した場合は溝縁部１５を交換することができ、苗受台１２のメンテナンスのコストを低減することができる。
【００１８】
また、前記溝縁部１５は、溝本体１６の主材料（樹脂）の材質よりも耐摩耗性に優れた材質の金属からなっている。この構成によれば、突条１４を含む溝縁部１５が摩耗し難く、苗受台１２のメンテナンスの手間を低減することができる。また、溝縁部１５のみに耐摩耗性に優れた材料（一般に高価で比重が大きい）を使用するので、苗受台１２全体を耐摩耗性に優れた材質の材料で構成するよりも低コストかつ軽量に構成することができる。
【００１９】
なお、本発明は前記実施形態に限定されるものではなく、例えば以下のように、発明の趣旨から逸脱しない範囲で適宜変更して具体化することもできる。
（１）溝本体１６、溝縁部１９、突条１４を他の材質の材料からなるものに変更すること。例えば、溝縁部１９をセラミック製にすることが挙げられる。
（２）溝本体１６、溝縁部１９、突条１４の形状や大きさを適宜変更すること。
【図面の簡単な説明】
【００２０】
【図１】本発明を具体化した一実施形態に係る苗受台を備えた移植機の上部側の要部を示す側断面図である。
【図２】同移植機の下部側の要部を示す斜視図である。
【図３】同移植機の苗受台を示す図であり、（ａ）は正面図、（ｂ）は（ａ）のｂ−ｂ線断面図である。
【図４】同苗受台を示す平面図である。
【図５】同苗受台の変更例を示す正面図である。
【図６】従来の移植機の苗受台を示す正面図である。
【符号の説明】
【００２１】
１    機体
３    苗載台
４    苗取出装置
５    苗搬送装置
１２    苗受台
１３    苗受溝
１４    突条
１５    溝縁部
１６    溝本体
１７    ネジ
１９    樹脂製の溝縁部
１９ａ  樹脂製の突条
２０    搬送ベルト
Ｐ    苗
Ｐａ  根部
【図１】
0004780562.tif 000002
【図２】
0004780562.tif 000003
【図３】
0004780562.tif 000004
【図４】
0004780562.tif 000005
【図５】
0004780562.tif 000006
【図６】
0004780562.tif 000007